(57)【要約】【課題】髪の毛のカット時に櫛歯状になっている刃の空洞部分に入り込んだ髪がスムーズに抜けることを可能にするハサミを提供する。【解決手段】ハサミ１００は、直刃の刃部１１１を有する第一のハサミ形成部材１１０と、開口部１４０が列状に形成され、櫛歯状をなす刃部１２１を有する第二のハサミ形成部材１２０と、からなる。開口部１４０の各々は、刃面１２３に形成された刃面開口部１４１から遠ざかるにつれて開口幅が大きくなるように形成されている開口領域１４２を有しており、開口部１４０の底辺には、刃面開口部１４１に向かって突出する突起部１４３が形成されている。【選択図】図１
2009005816.tif 000002
【特許請求の範囲】
【請求項１】
回動中心点を中心として一方の側には刃部が、他方の側には把手部がそれぞれ形成されている一対のハサミ形成部材を前記回動中心点において相互に回動可能に連結することにより形成されたハサミであって、
前記一対のハサミ形成部材の一方の刃部は直刃であり、他方の刃部には開口部が列状に形成されており、
前記開口部の各々は、刃面に形成された刃面開口部から遠ざかるにつれて開口幅が大きくなるように形成されている開口領域を有しており、前記開口部の底辺には、前記刃面開口部に向かって突出する突起部が形成されているハサミ。
【請求項２】
前記開口部の各々は逆ハート型形状をなしていることを特徴とする請求項１に記載のハサミ。
【請求項３】
前記開口部の底面は、他方のハサミ形成部材と接する側から外側に向かって低くなるように傾斜する傾斜面として形成されていることを特徴とする請求項１または２に記載のハサミ。
【請求項４】
前記刃面開口部の長さは前記回動中心点に近いほど大きいものであることを特徴とする請求項１乃至３の何れか一項に記載のハサミ。
【請求項５】
前記刃面開口部の長さは複数個の刃面開口部ごとに同一に設定されており、前記回動中心点に近い複数個の刃面開口部ほど前記刃面開口部の長さが大きいものであることを特徴とする請求項１乃至３の何れか一項に記載のハサミ。
【請求項６】
前記開口部の間の前記刃面は前記ハサミの先端に向かって低くなるように傾斜して形成されていることを特徴とする請求項１乃至５の何れか一項に記載のハサミ。
【発明の詳細な説明】
【技術分野】
【０００１】
本発明はハサミ、特に、理髪用の梳きハサミに関する。
【背景技術】
【０００２】
理髪時には、理髪用ハサミ（刃が２つとも直刃のハサミ）を使って髪を切った後、最後の仕上げ時に梳きハサミが用いられる。
【０００３】
一般に、梳きハサミは、一方の刃が直刃（あるいは、平刃）であり、他方の刃が櫛歯状になっている。
【０００４】
櫛歯状になっている刃は、刃をなす部分と、空洞の部分とが連続して形成されており、空洞の部分によっては、髪は切られることはなく、刃をなす部分によってのみ、髪が切られる。このため、理髪の仕上げ用として梳きハサミを使用することにより、髪を梳くことができる。すなわち、梳きハサミを使用することにより、短く刈った髪が混在するようにすることが可能になる。
【０００５】
梳きハサミの一例が特開２００７−２０９７６号公報に記載されている。
【０００６】
同公報に記載されている梳きハサミにおいては、各歯部片の先端の刃口にその口幅の中央部へ傾斜により低くなる窪み刃（同公報の図２における参照符号２１が「窪み刃」を示す）が形成されている。
【０００７】
このような窪み刃を設けることにより、刃口に髪が掛かりやすくなるため、髪のカット率を安定化させることができる、というものである。
【特許文献１】特開２００７−２０９７６号公報
【発明の開示】
【発明が解決しようとする課題】
【０００８】
しかしながら、本出願人の長年の研究によれば、梳きハサミにおける一番の問題は、上記公報が問題にしているように、刃口に髪が掛かりやすいか否かではなく、櫛歯状になっている刃の空洞部分に入り込んだ髪がスムーズに抜けるか否かであることが判明した。
【０００９】
これまでの梳きハサミにおいては、櫛歯状になっている刃の空洞部分は、上記公報に記載されている梳きハサミも含めて、ほぼ一定幅に形成されていた。
【００１０】
このため、髪を切ったときに、切れずに残った髪が一度に各空洞部分に入り込むため、空洞部分から髪の毛がなかなか抜けずに、髪の毛のカットを続けて行うことが困難であることがあった。
【００１１】
本発明は、このような問題点に鑑みてなされたものであり、髪の毛のカット時に櫛歯状になっている刃の空洞部分に入り込んだ髪が一カ所に集中せず、スムーズに抜けることを可能にするハサミを提供することを目的とする。
【課題を解決するための手段】
【００１２】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００１３】
上記の目的を達成するため、本発明は、回動中心点（１３０）を中心として一方の側には刃部（１１１、１２１）が、他方の側には把手部（１１２、１２２）がそれぞれ形成されている一対のハサミ形成部材（１１０、１２０）を前記回動中心点（１３０）において相互に回動可能に連結することにより形成されたハサミ（１００）であって、前記一対のハサミ形成部材（１１０、１２０）の一方（１１０）の刃部（１１１）は直刃であり、他方（１２０）の刃部（１２１）には開口部（１４０）が列状に形成されており、前記開口部（１４０）の各々は、刃面（１２３）に形成された刃面開口部（１４１）から遠ざかるにつれて開口幅が大きくなるように形成されている開口領域（１４２）を有しており、前記開口部（１４０）の底辺には、前記刃面開口部（１４１）に向かって突出する突起部（１４３）が形成されているハサミ（１００）を提供する。
【００１４】
前記開口部（１４０）の各々は、例えば、逆ハート型形状をなしている。
【００１５】
前記開口部（１４０）の底面は、他方のハサミ形成部材と接する側から外側に向かって低くなるように傾斜する傾斜面（１４５）として形成されていることが好ましい。
【００１６】
前記刃面開口部（１４１）の長さは前記回動中心点（１３０）に近いほど大きいものであることが好ましい。
【００１７】
前記刃面開口部（１４１）の長さは複数個の刃面開口部（１４１）ごとに同一に設定することができる。この場合、前記回動中心点（１３０）に近い複数個の刃面開口部（１４１）ほど前記刃面開口部（１４１）の長さが大きいものであることが好ましい。
【００１８】
前記開口部（１４０）の間の前記刃面（１２３）は前記ハサミ（４００）の先端に向かって低くなるように傾斜して形成されていることが好ましい。
【発明の効果】
【００１９】
髪の毛をカットする場合、カットされずに残った髪の毛が刃面開口部を介して開口領域の中に入り込む。この場合、開口領域は、刃面開口部から遠ざかるにつれて大きくなる開口幅を有しているため、髪の毛が刃面開口部で詰まることはなく、髪の毛はスムーズに開口領域の内部に移動するとともに、開口領域の内部においても詰まることはない。開口領域の内部に移動した髪の毛は開口部の奥（底辺）に向かって進む。開口部の奥（底辺）に向かって進んだ髪の毛は、やがて、開口部の底辺に形成されている突起部により二分され、突起部の左右の領域に分散される。
【００２０】
従来の梳きハサミにおいては、開口部はほぼ一定幅の細長い孔からなるものであったため、髪の毛が詰まりやすく、従って、梳きハサミを抜くときに、梳きハサミに対する髪の毛の摩擦力に起因して、梳きハサミを抜くことが困難になることが多かった。
【００２１】
これに対して、本発明に係るハサミによれば、開口領域は、刃面開口部から遠ざかるにつれて大きくなる開口幅を有しているため、開口領域の内部において髪の毛が詰まることはなく、さらに、髪の毛は開口部の底辺に形成されている突起部により二分されるため、髪の毛が一カ所に詰まることはなく、適度に分散される。このため、従来の梳きハサミとは異なり、髪の毛がハサミにからむことなく、スムーズにハサミを抜き取ることができる。
【発明を実施するための最良の形態】
【００２２】
（第一の実施形態）
図１は、本発明の第一の実施形態に係るハサミ１００の平面図である。
【００２３】
本実施形態に係るハサミ１００は一対のハサミ形成部材、すなわち、第一のハサミ形成部材１１０と第二のハサミ形成部材１２０とからなる。
【００２４】
第一のハサミ形成部材１１０及び第二のハサミ形成部材１２０は双方とも鋼鉄でつくられている。
【００２５】
第一のハサミ形成部材１１０には回動中心点となる箇所に孔（図１では見えない）が形成されており、この回動中心点となる孔の一方の側には刃部１１１が、他方の側には把手部としてのリング１１２が形成されている。
【００２６】
第二のハサミ形成部材１２０には回動中心点となる箇所に孔（図１では見えない）が形成されており、この回動中心点となる孔の一方の側には刃部１２１が、他方の側には把手部としてのリング１２２が形成されている。
【００２７】
第一のハサミ形成部材１１０及び第二のハサミ形成部材１２０は、それぞれ回動中心点に形成されている孔に回動軸１３０を通すことによって、相互に回動可能に連結されている。
【００２８】
把手部としてのリング１１２、１２２に指を通し、回動軸１３０を中心として、第一のハサミ形成部材１１０及び第二のハサミ形成部材１２０を相互に回転させることにより、第一のハサミ形成部材１１０及び第二のハサミ形成部材１２０の各刃部１１１、１２１が相互に閉じた状態（図１に示す状態）と相互に開いた状態とを取ることができる。
【００２９】
第一のハサミ形成部材１１０の刃部１１１は直刃（平刃）として形成されている。
【００３０】
これに対して、第二のハサミ形成部材１２０の刃部１２１は櫛歯状に形成されている。
【００３１】
すなわち、本実施形態に係るハサミ１００はいわゆる梳きハサミである。通常、第一のハサミ形成部材１１０のリング１１２には薬指を、第二のハサミ形成部材１２０のリング１２２には親指を入れる。髪のカット時には、第一のハサミ形成部材１１０をほぼ静止状態に保持しておき、親指のみを反復して動かすことにより、第一のハサミ形成部材１１０及び第二のハサミ形成部材１２０の各刃部１１１、１２１を開閉させ、髪をカットする。このように、第一のハサミ形成部材１１０の刃部１１１は静止状態に保持され、さらに、第二のハサミ形成部材１２０の刃部１２１のみが動くため、第一のハサミ形成部材１１０の刃部１１１は「静刃」と、第二のハサミ形成部材１２０の刃部１２１は「動刃」と呼ばれることがある。
【００３２】
図２は第二のハサミ形成部材１２０の刃部１２１を部分的に拡大した平面図である。
【００３３】
図２に示すように、第二のハサミ形成部材１２０の刃部１２１には、その長さ方向Ｌに開口部１４０が一定間隔で列状に形成されている。すなわち、第二のハサミ形成部材１２０の刃部１２１は複数の開口部１４０が形成されているため、櫛歯状になっている。
【００３４】
開口部１４０の各々は、刃部１２１の刃面１２３に形成された刃面開口部１４１を有しており、さらに、刃面開口部１４１を開口端とする開口領域１４２を有している。すなわち、開口領域１４２は刃面開口部１４１を先端として、第二のハサミ形成部材１２０の刃部１２１の幅方向Ｗ（第二のハサミ形成部材１２０の刃部１２１の長さ方向Ｌに直交する方向）において、刃面１２３から長さＷＡの位置まで延びている。
【００３５】
開口領域１４２においては、刃面開口部１４１から遠ざかるにつれて開口幅（第二のハサミ形成部材１２０の刃部１２１の長さ方向Ｌにおける長さ）が大きくなるように形成されている。
【００３６】
例えば、図２に示すように、刃面１２３からＷ１、Ｗ２の位置における開口領域１４２の開口幅をそれぞれＬ１、Ｌ２とすると、Ｌ１＜Ｌ２である。
【００３７】
開口部１４０の底辺には、刃面開口部１４１に向かって突出する突起部１４３が形成されている。
【００３８】
開口領域１４２を形成する内側面１４４は緩やかな曲線を形成している。このため、開口部１４０の各々は全体として逆ハート型形状（ハート型を上下逆にした形状）をなしている。
【００３９】
以上のような構造を有する本実施形態に係るハサミ１００は以下のような機能を奏する。
【００４０】
図２に示すように、髪の毛をカットする場合、カットされずに残った髪の毛１５０が刃面開口部１４１を介して開口領域１４２の中に入り込む。この場合、開口領域１４２は、刃面開口部１４１から遠ざかるにつれて大きくなる開口幅を有しているため、髪の毛１５０が刃面開口部１４１で詰まることはなく、髪の毛１５０はスムーズに開口領域１４２の内部に移動するとともに、開口領域１４２の内部においても詰まることはない。
【００４１】
開口領域１４２の内部に移動した髪の毛１５０は開口部１４０の奥（底辺）に向かって進む。開口部１４０の奥（底辺）に向かって進んだ髪の毛１５０は、やがて、開口部１４０の底辺に形成されている突起部１４３により二分され、突起部１４３の左右の領域に分散される。
【００４２】
従来の梳きハサミにおいては、開口部１４０はほぼ一定幅の細長い孔からなるものであったため、髪の毛が詰まりやすく、従って、梳きハサミを抜くときに、梳きハサミに対する髪の毛の摩擦力に起因して、梳きハサミを抜くことが困難になることが多かった。
【００４３】
これに対して、本実施形態に係るハサミ１００によれば、開口領域１４２は、刃面開口部１４１から遠ざかるにつれて大きくなる開口幅を有しているため、開口領域１４２の内部において髪の毛１５０が詰まることはなく、さらに、髪の毛１５０は開口部１４０の底辺に形成されている突起部１４３により二分されるため、髪の毛１５０が一カ所に詰まることはなく、適度に二つに分散される。このように、髪の毛１５０が一カ所に集中せず、分散することにより、従来の梳きハサミとは異なり、髪の毛１５０がハサミ１００にからむことなく、スムーズにハサミ１００を抜き取ることができる。
【００４４】
本実施形態に係るハサミ１００は上記の構造に限定されるものではなく、種々の改変が可能である。
【００４５】
例えば、本実施形態に係るハサミ１００においては、開口領域１４２の内側面１４４は曲線をなしているが、曲線に限らず、直線あるいは階段状にすることも可能である。あるいは、曲線と直線との組み合わせを用いることも可能である。
【００４６】
さらに、本実施形態に係るハサミ１００においては、開口部１４０は逆ハート型形状をなしているが、開口部１４０の形状は逆ハート型には限定されない。刃面開口部１４１から遠ざかるにつれて大きくなる開口幅を有するような形状である限りにおいて、開口部１４０は任意の形状を取ることができる。
【００４７】
（第二の実施形態）
図３は、本発明の第二の実施形態に係るハサミ２００における第二のハサミ形成部材１２０の縦断面図である。
【００４８】
本実施形態に係るハサミ２００においては、図３に示すように、第二のハサミ形成部材１２０における開口部１４０の底辺が傾斜面１４５として形成されている。すなわち、第二のハサミ形成部材１２０における開口部１４０の底辺は、内側（第一のハサミ形成部材１１０と接する側）が高く、外側（第一のハサミ形成部材１１０とは反対側）が低くなるように形成されている。
【００４９】
このように、第二のハサミ形成部材１２０における開口部１４０の底辺を傾斜面１４５として形成することにより、開口部１４０からの髪の毛１５０の抜けをよりスムーズに行うことが可能になる。
【００５０】
（第三の実施形態）
上記の第一及び第二の実施形態に係るハサミ１００、２００においては、各開口部１４０の刃面開口部１４１の長さは一定である。
【００５１】
これに対して、本発明の第三の実施形態に係るハサミにおいては、各開口部１４０の刃面開口部１４１の長さは回動軸１３０に近いほど大きくなるように設定されている。
【００５２】
手前ほど、すなわち、回動軸１３０に近いほど、髪の毛１５０の量が大きくなるため、回動軸１３０に近い位置にある開口部１４０ほど、その刃面開口部１４１の長さを大きくすることにより、髪の毛１５０をスムーズに開口部１４０の内部に移動させることができる。
【００５３】
また、開口部１４０を複数のグループに分割し、各グループ毎に刃面開口部１４１の長さを変えることも可能である。
【００５４】
図４は、本発明の第三の実施形態に係るハサミ３００における第二のハサミ形成部材１２０の部分的な平面図である。
【００５５】
図４に示すように、本実施形態に係るハサミ３００における第二のハサミ形成部材１２０には７個の開口部１４０が形成されている。
【００５６】
例えば、これら７個の開口部１４０のうち、先端側の３個の開口部１４０を第一のグループＧ１、残りの４個の開口部１４０を第二のグループＧ２とすると、第二のグループＧ２に属する４個の開口部１４０の各々の刃面開口部１４１の長さを第一のグループＧ１に属する３個の開口部１４０の各々の刃面開口部１４１の長さよりも長く設定する。
【００５７】
例えば、第一のグループＧ１に属する３個の開口部１４０の各々の刃面開口部１４１の長さを０．６ｍｍ、第二のグループＧ２に属する４個の開口部１４０の各々の刃面開口部１４１の長さを０．８８ｍｍとする。
【００５８】
また、複数個の開口部１４０をグループ分けする際のグループの数は任意である。２または３以上のグループ数とすることができる。
【００５９】
例えば、図４に示した７個の開口部１４０を３個のグループに分割する場合には、図４に示すように、先端側の２個の開口部１４０を第一のグループＧａ、中央の３個の開口部１４０を第二のグループＧｂ、残りの２個の開口部１４０を第三のグループＧｃとすることができる。
【００６０】
（第四の実施形態）
図５は、本発明の第四の実施形態に係るハサミ４００における第二のハサミ形成部材１２０の部分的な平面図である。
【００６１】
本実施形態に係るハサミ４００においては、各開口部１４０の間の刃面１２３はハサミ４００の長さ方向において傾斜して形成されている。具体的には、各開口部１４０の間の刃面１２３はハサミ４００の先端に向かって低くなるように傾斜して形成されている。
【００６２】
各刃面１２３の傾斜の角度は一定である。すなわち、各開口部１４０の間の各刃面１２３は相互に平行である。
【００６３】
各開口部１４０の間の刃面１２３が平刃であると、必要以上に髪の毛１５０が切れることがある。本実施形態に係るハサミ４００のように、各開口部１４０の間の各刃面１２３を傾斜刃面として形成することにより、髪の毛１５０を強制的に外側に押しやることができ、必要以上に髪の毛がカットされることを防止することができる。
【図面の簡単な説明】
【００６４】
【図１】本発明の第一の実施形態に係るハサミの平面図である。
【図２】本発明の第一の実施形態に係るハサミにおける第二のハサミ形成部材の刃部を部分的に拡大した平面図である。
【図３】本発明の第二の実施形態に係るハサミにおける第二のハサミ形成部材の縦断面図である。
【図４】本発明の第三の実施形態に係るハサミにおける第二のハサミ形成部材の部分的な平面図である。
【図５】本発明の第四の実施形態に係るハサミにおける第二のハサミ形成部材の部分的な平面図である。
【符号の説明】
【００６５】
１００  本発明の第一の実施形態に係るハサミ
１１０  第一のハサミ形成部材
１１１  刃部
１１２  リング
１２０  第二のハサミ形成部材
１２１  刃部
１２２  リング
１２３  刃面
１３０  回動軸
１４０  開口部
１４１  刃面開口部
１４２  開口領域
１４３  突起部
１４５  傾斜面
１５０  髪の毛
２００  本発明の第二の実施形態に係るハサミ
３００  本発明の第三の実施形態に係るハサミ
４００  本発明の第四の実施形態に係るハサミ
【図１】
2009005816.tif 000003
【図２】
2009005816.tif 000004
【図３】
2009005816.tif 000005
【図４】
2009005816.tif 000006
【図５】
2009005816.tif 000007